(57)【要約】【課題】機器の設置場所及び運転状態を容易に把握した上で、機器を容易に制御する。【解決手段】制御装置１は、建屋に設置された機器の位置を取得する位置取得部１３と、建屋の画像及び機器の状態を表す画像を取得する画像取得部１２と、機器の状態を取得する機器状態取得部１１と、画像取得部１２が取得した建屋の画像及び機器の状態を表す画像を用いて位置取得部１３が取得した機器の位置に機器状態取得部１１が取得した機器の状態を表示する画面を構築する画面構築部１４と、画面構築部１４が構築した画面を出力する出力部３２と、画面上でのユーザの入力操作を検出する入力部３３と、入力部３３が検出した入力操作に基づいて機器を制御する制御内容を決定する制御内容決定部１６と、制御内容決定部１６が決定した制御内容に対応する制御信号を機器に送信する機器制御部１５と、を備える。【選択図】図２
2018009739.tif 000002
【特許請求の範囲】
【請求項１】
建屋に設置された機器の位置を取得する位置取得部と、
前記建屋の画像及び前記機器の状態を表す画像を取得する画像取得部と、
前記機器の状態を取得する機器状態取得部と、
前記画像取得部が取得した前記建屋の画像及び前記機器の状態を表す画像を用いて、前記建屋の画像上の前記位置取得部が取得した機器の位置に、前記機器状態取得部が取得した機器の状態を表示する画面を構築する画面構築部と、
前記画面構築部が構築した画面を出力する出力部と、
前記画面上でのユーザの入力操作を検出する入力部と、
前記入力部が検出した入力操作に基づいて、前記機器を制御する制御内容を決定する制御内容決定部と、
前記制御内容決定部が決定した制御内容に対応する制御信号を前記機器に送信する機器制御部と、
を備える制御装置。
【請求項２】
前記機器は、前記建屋の甲の領域から乙の領域に空気を搬送しうる換気装置を含み、
前記機器の状態は前記換気装置の運転状態を含み、
前記機器の状態を表す画像は矢印の画像を含み、
前記画面構築部は、前記換気装置の運転状態を表示する際に、前記建屋の画像上で、前記換気装置の空気搬送元の領域から空気搬送先の領域を指し示す向きの矢印の画像を用いる、
請求項１に記載の制御装置。
【請求項３】
前記入力部が検出した入力操作が、前記画面上の前記甲の領域から前記乙の領域へのドラッグ操作又はスワイプ操作であり、
前記機器状態取得部が、前記甲の領域から前記乙の領域へ空気を搬送しうる前記換気装置の運転状態がＯＦＦであることを取得した場合、
前記制御内容決定部は、前記制御内容を、前記甲の領域から前記乙の領域へ空気を搬送しうる前記換気装置の電源をＯＮにする制御内容に決定する、
請求項２に記載の制御装置。
【請求項４】
前記入力部が検出した入力操作が、前記画面上の前記甲の領域から前記乙の領域へのドラッグ操作又はスワイプ操作であり、
前記機器状態取得部が、空気搬送方向を反転可能な前記換気装置の運転状態が、空気搬送を前記乙の領域から前記甲の領域に対して行っている状態であることを取得した場合、
前記制御内容決定部は、前記制御内容を前記換気装置の空気搬送方向を反転する制御内容に決定する、
請求項２又は３に記載の制御装置。
【請求項５】
前記入力部が検出した入力操作が、前記画面上の前記甲の領域と前記乙の領域の間でのピンチアウト操作であり、
前記機器状態取得部が、前記甲の領域と前記乙の領域の間で空気搬送を行う前記換気装置の運転状態がＯＮであることを取得した場合、
前記制御内容決定部は、前記制御内容を、前記換気装置の風量を増加させる制御内容に決定する、
請求項２から４のいずれか１項に記載の制御装置。
【請求項６】
前記入力部が検出した入力操作が、前記画面上の前記甲の領域と前記乙の領域の間でのピンチイン操作であり、
前記機器状態取得部が、前記甲の領域と前記乙の領域の間で空気搬送を行う前記換気装置の運転状態がＯＮであることを取得した場合、
前記制御内容決定部は、前記制御内容を、前記換気装置の風量を減少させる制御内容に決定する、
請求項２から５のいずれか１項に記載の制御装置。
【請求項７】
前記入力部が検出した入力操作が、前記画面上の前記甲の領域から前記乙の領域へのドラッグ操作又はスワイプ操作であり、
前記機器状態取得部が、前記甲の領域から前記乙の領域へ空気搬送を行う前記換気装置の運転状態がＯＮであることを取得した場合、
前記制御内容決定部は、前記制御内容を、前記換気装置の風量を増加させる制御内容に決定する、
請求項２から６のいずれか１項に記載の制御装置。
【請求項８】
前記入力部が検出した入力操作が、前記画面上の前記乙の領域から前記甲の領域へのドラッグ操作又はスワイプ操作であり、
前記機器状態取得部が、前記甲の領域から前記乙の領域へ空気搬送を行う前記換気装置の運転状態がＯＮであることを取得した場合、
前記制御内容決定部は、前記制御内容を、前記換気装置の風量を減少させる制御内容に決定する、
請求項２から７のいずれか１項に記載の制御装置。
【請求項９】
前記入力部が検出した入力操作が、前記画面上の前記甲の領域と前記乙の領域の間でのドラッグ操作又はスワイプ操作であり、
前記機器状態取得部が、前記甲の領域と前記乙の領域の間で空気搬送を行う前記換気装置の運転状態がＯＮであることを取得し、
前記ドラッグ操作又はスワイプ操作の方向と、前記画面上の前記甲の領域と前記乙の領域の間に表示された前記矢印の方向との角度が６０°以上１２０°以下である場合、
前記制御内容決定部は、前記制御内容を、前記換気装置の電源をＯＦＦにする制御内容に決定する、
請求項２から８のいずれか１項に記載の制御装置。
【請求項１０】
前記入力部が検出した入力操作が、前記画面上の前記甲の領域から前記乙の領域へのドラッグ操作又はスワイプ操作であり、
前記機器状態取得部が、前記乙の領域から前記甲の領域へ空気搬送を行う前記換気装置の運転状態がＯＮであることを取得した場合、
前記制御内容決定部は、前記制御内容を、前記換気装置の電源をＯＦＦにする制御内容に決定する、
請求項２又は３に記載の制御装置。
【請求項１１】
前記入力部が検出した入力操作が、前記画面上の前記甲の領域と前記乙の領域の間でのピンチイン操作であり、
前記機器状態取得部が、前記甲の領域と前記乙の領域の間で空気搬送を行う前記換気装置の運転状態がＯＮであることを取得した場合、
前記制御内容決定部は、前記制御内容を、前記換気装置の電源をＯＦＦにする制御内容に決定する、
請求項２から５のいずれか１項に記載の制御装置。
【請求項１２】
前記機器が制御可能であるか否かを判定する制御可否判定部をさらに備え、
前記機器制御部は、前記制御可否判定部が、前記機器が制御可能であると判定した場合のみ、前記制御信号を前記機器に送信する、
請求項１から１１のいずれか１項に記載の制御装置。
【請求項１３】
建屋に設置されたセンサが検出するセンサ情報を取得するセンサ情報取得部と、
前記センサの設置位置を記憶するセンサ設置位置記憶部と、
をさらに備え、
前記画面構築部は、構築する前記画面上で、前記センサ設置位置記憶部に記憶された前記センサの設置位置に対応する領域を、前記センサ情報取得部が取得したセンサ情報に基づいて変化させる、
請求項１から１２のいずれか１項に記載の制御装置。
【請求項１４】
前記画面構築部は、構築する前記画面上で、前記センサ設置位置記憶部に記憶された前記センサの設置位置に対応する領域の色の明暗を、前記センサ情報取得部が取得したセンサ情報に基づいて変化させる、
請求項１３に記載の制御装置。
【請求項１５】
前記画面構築部は、構築する前記画面上で、前記センサ設置位置記憶部に記憶された前記センサの設置位置に対応する領域に、前記センサ情報取得部が取得したセンサ情報を文字で表示する、
請求項１３に記載の制御装置。
【請求項１６】
請求項１から１５のいずれか１項に記載の制御装置と、
換気装置と、
を備え、
前記制御装置の機器状態取得部は、前記換気装置の運転状態を取得し、
前記制御装置の機器制御部は、制御信号を前記換気装置に送信する、
制御システム。
【請求項１７】
建屋の画像上に機器の状態を表示する画面を構築する画面構築ステップと、
前記画面構築ステップで構築された画面上でのユーザの入力操作を検出する入力ステップと、
前記入力ステップで検出された入力操作に基づいて、前記機器を制御する制御内容を決定する制御内容決定ステップと、
前記制御内容決定ステップで決定された制御内容に対応する制御信号を前記機器に送信する機器制御ステップと、
を備える制御方法。
【請求項１８】
コンピュータを、
建屋の画像及び機器の状態を表す画像を取得する画像取得部、
前記機器の状態を取得する機器状態取得部、
前記画像取得部が取得した前記建屋の画像及び前記機器の状態を表す画像を用いて、前記建屋の画像上に、前記機器状態取得部が取得した機器の状態を表示する画面を構築する画面構築部、
前記画面構築部が構築した画面を出力する出力部、
前記画面上でのユーザの入力操作を検出する入力部、及び
前記入力部が検出した入力操作に基づく制御信号を前記機器に送信する機器制御部、
として機能させるためのプログラム。
【発明の詳細な説明】
【技術分野】
【０００１】
本発明は、制御装置、制御システム、制御方法及びプログラムに関する。
【背景技術】
【０００２】
近年、家庭においても電動シャッターや照明器具、換気設備といった住宅設備がネットワークに接続されるようになってきている。また、ＨＥＭＳ（Ｈｏｍｅ  Ｅｎｅｒｇｙ  Ｍａｎａｇｅｍｅｎｔ  Ｓｙｓｔｅｍ）を用いて、このような住宅設備を管理・制御する仕組みも一般に広まりつつある。
【０００３】
例えば、特許文献１には、屋内の空気環境を検知するセンサの情報に基づいて、複数の換気装置の換気モードを切り替えることができる２４時間換気システムが開示されている。また、特許文献２には、換気装置と換気装置以外の装置とを連動制御する複数の制御パターンを用意して、室温及び外気温に基づき、この複数の制御パターン間で連動制御方法を切り替えることができる室内空調システムが開示されている。
【先行技術文献】
【特許文献】
【０００４】
【特許文献１】特開２００７−１０１０７７号公報
【特許文献２】特開２０１４−２１１２８５号公報
【発明の概要】
【発明が解決しようとする課題】
【０００５】
特許文献１及び特許文献２に開示されているシステムにおいては、ユーザは建屋内の各換気装置の運転状態や、建屋内の空気の流れを知ることができず、また、決められたパターン以外の任意の条件で換気装置を制御することは困難である。これは換気装置に限らず、例えば空気調和機等、他の機器についても言える。
【０００６】
本発明は、上述のような事情に鑑みてなされたもので、ユーザが機器の設置場所及び運転状態を容易に把握した上で、機器を容易に制御できる制御装置、制御システム、制御方法及びプログラムを提供することを目的とする。
【課題を解決するための手段】
【０００７】
上記目的を達成するため、本発明に係る制御装置は、位置取得部と画像取得部と機器状態取得部と画面構築部と出力部と入力部と制御内容決定部と機器制御部とを備える。位置取得部は、建屋に設置された機器の位置を取得する。画像取得部は、建屋の画像及び機器の状態を表す画像を取得する。機器状態取得部は、機器の状態を取得する。画面構築部は、画像取得部が取得した建屋の画像及び機器の状態を表す画像を用いて、建屋の画像上の位置取得部が取得した機器の位置に、機器状態取得部が取得した機器の状態を表示する画面を構築する。出力部は、画面構築部が構築した画面を出力する。入力部は、画面上でのユーザの入力操作を検出する。制御内容決定部は、入力部が検出した入力操作に基づいて、機器を制御する制御内容を決定する。機器制御部は、制御内容決定部が決定した制御内容に対応する制御信号を機器に送信する。
【発明の効果】
【０００８】
本発明によれば、位置取得部が取得した画面上の位置に機器の運転状態を表示し、その画面上に機器の制御インタフェースを提供することにより、ユーザが機器の設置場所及び運転状態を容易に把握した上で、機器を容易に制御することができる。
【図面の簡単な説明】
【０００９】
【図１】本発明の実施の形態１に係る制御システムのシステム構成例を示す図である。
【図２】実施の形態１に係る制御装置の機能ブロック図である。
【図３】（ａ）実施の形態１に係る画像情報記憶部に記憶されているデータ例を示す図である。（ｂ）実施の形態１に係る画像情報記憶部に記憶されている、換気可能方向を示す一方向矢印Ａのシンボル画像例である。（ｃ）実施の形態１に係る画像情報記憶部に記憶されている、換気可能方向を示す双方向矢印Ａのシンボル画像例である。（ｄ）実施の形態１に係る画像情報記憶部に記憶されている、換気方向を示すＯＮ矢印Ａのシンボル画像例である。（ｅ）実施の形態１に係る画像情報記憶部に記憶されている全館換気装置Ａのシンボル画像例である。（ｆ）実施の形態１に係る画像情報記憶部に記憶されている換気装置Ａのシンボル画像例である。（ｇ）実施の形態１に係る画像情報記憶部に記憶されているエアコンＡのシンボル画像例である。（ｈ）実施の形態１に係る画像情報記憶部に記憶されている食卓Ａのシンボル画像例である。（ｉ）実施の形態１に係る画像情報記憶部に記憶されている模式図Ａの画像例である。（ｊ）実施の形態１に係る画像情報記憶部に記憶されている間取り図Ａの画像例である。
【図４】（ａ）実施の形態１に係る建屋情報記憶部に記憶されている模式図の場合のデータ例を示す図である。（ｂ）実施の形態１に係る模式図の画面例である。
【図５】（ａ）実施の形態１に係る建屋情報記憶部に記憶されている間取り図の場合のデータ例を示す図である。（ｂ）実施の形態１に係る間取り図の画面例である。
【図６】実施の形態１に係る機器状態記憶部に記憶されているデータ例を示す図である。
【図７】実施の形態１に係る画面構築処理のフローチャートである。
【図８】実施の形態１に係る画面構築・出力処理のフローチャートである。
【図９】実施の形態１に係る制御処理のフローチャートである。
【図１０】（ａ）実施の形態１に係る模式図における、換気装置の電源ＯＮ操作前の画面例及び電源ＯＮのユーザ入力操作例を示す図である。（ｂ）実施の形態１に係る模式図における、換気装置の電源ＯＮ操作後の画面例である。
【図１１】（ａ）実施の形態１に係る間取り図における、換気装置の電源ＯＮ操作前の画面例及び電源ＯＮのユーザ入力操作例を示す図である。（ｂ）実施の形態１に係る間取り図における、換気装置の電源ＯＮ操作後の画面例である。
【図１２】（ａ）実施の形態１に係る模式図における、換気装置の電源ＯＮ状態を示す画面例である。（ｂ）実施の形態１に係る模式図における、換気装置の電源ＯＦＦ操作前の画面例及び電源ＯＦＦのユーザ入力操作例を示す図である。
【図１３】（ａ）実施の形態１に係る模式図における、換気装置の電源ＯＦＦ操作後の画面例である。（ｂ）実施の形態１に係る模式図における、換気装置の電源ＯＦＦ操作前の画面例及び電源ＯＦＦのユーザ入力操作の別の例を示す図である。
【図１４】（ａ）実施の形態１に係る模式図における、双方向換気装置の電源ＯＮ状態を示す画面例である。（ｂ）実施の形態１に係る模式図における、双方向換気装置の運転方向反転操作前の画面例及び運転方向反転のユーザ入力操作例を示す図である。（ｃ）実施の形態１に係る模式図における、双方向換気装置の運転方向反転操作後の画面例である。
【図１５】（ａ）実施の形態１に係る模式図における、換気装置の換気風量増加操作前の画面例及び換気風量増加を行うピンチアウトのユーザ入力操作例を示す図である。（ｂ）実施の形態１に係る模式図における、換気装置の換気風量増加操作後の画面例である。
【図１６】（ａ）実施の形態１に係る模式図における、換気装置の換気風量低減操作前の画面例及び換気風量低減を行うピンチインのユーザ入力操作例を示す図である。（ｂ）実施の形態１に係る模式図における、換気装置の換気風量低減操作後の画面例である。
【図１７】（ａ）実施の形態１に係る模式図における、換気装置の換気風量増加操作前の画面例及び換気風量増加を行うドラッグのユーザ入力操作例を示す図である。（ｂ）実施の形態１に係る模式図における、換気装置の換気風量増加操作後の画面例である。
【図１８】（ａ）実施の形態１に係る模式図における、換気装置の換気風量低減操作前の画面例及び換気風量低減を行うドラッグのユーザ入力操作例を示す図である。（ｂ）実施の形態１に係る模式図における、換気装置の換気風量低減操作後の画面例である。
【図１９】（ａ）実施の形態１に係る模式図の、操作用シンボルによる換気装置制御画面例である。（ｂ）実施の形態１に係る換気装置制御のための操作用シンボルの拡大図である。
【図２０】（ａ）実施の形態１に係る一方向換気装置の制御画面例である。（ｂ）実施の形態１に係る双方向換気装置の制御画面例である。
【図２１】（ａ）実施の形態１に係る模式図における、換気装置の無効操作前の画面例及び無効なユーザ入力操作例を示す図である。（ｂ）実施の形態１に係る模式図における、換気装置の無効操作後の画面例である。
【図２２】（ａ）実施の形態１に係る間取り図における、換気装置の無効操作前の画面例及び無効なユーザ入力操作例を示す図である。（ｂ）実施の形態１に係る間取り図における、換気装置の無効操作後の画面例である。
【図２３】実施の形態１の変形例に係る制御装置の機能ブロック図である。
【図２４】実施の形態１の変形例の制御可否記憶部に記憶されているデータ例を示す図である。
【図２５】実施の形態１の変形例に係る制御処理のフローチャートである。
【図２６】（ａ）実施の形態１の変形例に係る模式図における、非制御モードの画面例である。（ｂ）実施の形態１の変形例に係る模式図における、非制御モードから制御モードに切り替えるユーザ入力操作例を示す図である。（ｃ）実施の形態１の変形例に係る模式図における、制御モードへの切り替え操作後の画面例である。
【図２７】（ａ）実施の形態１の変形例に係る間取り図における、非制御モードの画面例である。（ｂ）実施の形態１の変形例に係る間取り図における、非制御モードから制御モードに切り替えるユーザ入力操作例を示す図である。（ｃ）実施の形態１の変形例に係る間取り図における、制御モードへの切り替え操作後の画面例である。
【図２８】本発明の実施の形態２に係る制御システムのシステム構成例を示す図である。
【図２９】実施の形態２に係る制御装置の機能ブロック図である。
【図３０】実施の形態２に係る設置センサ情報記憶部に記憶されているデータ例を示す図である。
【図３１】実施の形態２に係る第１の画面構築・出力処理のフローチャートである。
【図３２】（ａ）実施の形態２に係る第１の画面構築・出力処理により画面構築された模式図の画面例である。（ｂ）実施の形態２に係る第１の画面構築・出力処理により画面構築された間取り図の画面例である。
【図３３】実施の形態２に係る第２の画面構築・出力処理のフローチャートである。
【図３４】（ａ）実施の形態２に係る第２の画面構築・出力処理により画面構築された模式図の画面例である。（ｂ）実施の形態２に係る第２の画面構築・出力処理により画面構築された間取り図の画面例である。
【図３５】本発明に係る制御装置のハードウェア構成例を示す図である。
【発明を実施するための形態】
【００１０】
以下、本発明の実施の形態に係る制御装置、制御システム、制御方法及びプログラムについて図面を参照して詳細に説明する。なお、図中同一または相当する部分には同じ符号を付す。
【００１１】
（実施の形態１）
本発明の実施の形態１に係る制御システム１００は、図１に示すように、制御装置１と、１台以上の換気装置２と、表示装置３と、を備える。ただし、制御装置１が液晶ディスプレイや有機ＥＬ（Ｅｌｅｃｔｒｏ−Ｌｕｍｉｎｅｓｃｅｎｃｅ）ディスプレイといった表示デバイスを備える場合は、独立した表示装置３を備えなくてもよい。この場合は、制御装置１が表示装置３を含む。また、表示装置３は、スマートフォンやタブレットのような表示デバイスを備えた情報端末であってもよい。
【００１２】
制御装置１は換気装置２から、換気装置２の電源のＯＮ／ＯＦＦや風量といった運転状態の情報を取得し、取得した各換気装置２の運転状態を、建屋内の設置場所と共に提示する画面を構築し、表示装置３に出力する。また、換気装置２を制御する制御信号を送信することにより、換気装置２の運転状態を変更する。
【００１３】
換気装置２は、建屋に固定して設置され、空気を搬送する機能を持つ装置を指す。標準的な壁取付け式換気扇の他、ダクト用換気扇、パイプ用ファン、レンジフードファン、２４時間換気システムのような全館換気装置、換気方向反転可能な換気装置を含む。
【００１４】
なお、換気装置２は、制御装置１に現在の運転状態を送信したり、制御装置１からの制御信号を受信して運転状態を変更したりすることができる通信インタフェースを備える。ここで、運転状態とは、換気装置２の運転の状態であり、例えば、電源のＯＮ／ＯＦＦや換気風量の強弱、空気の搬送方向、熱交換モードの各状態を含む。
【００１５】
表示装置３は、液晶ディスプレイや有機ＥＬディスプレイといった表示デバイスと、タッチパネルとを備えており、制御装置１が構築した画面を表示する。制御装置１と表示装置３との間のインタフェースは何でもよく、例えば、ＨＤＭＩ（登録商標）（Ｈｉｇｈ−Ｄｅｆｉｎｉｔｉｏｎ Ｍｕｌｔｉｍｅｄｉａ Ｉｎｔｅｒｆａｃｅ）を用いることができる。また、表示装置３がスマートフォンやタブレットのような表示デバイスを備えた情報端末である場合は、制御装置１と表示装置３との間のインタフェースは、Ｅｔｈｅｒｎｅｔ（登録商標）のような有線の通信インタフェースや、無線ＬＡＮ（Ｌｏｃａｌ Ａｒｅａ Ｎｅｔｗｏｒｋ）、Ｂｌｕｅｔｏｏｔｈ（登録商標）といった無線の通信インタフェースの場合もあり得る。なお、表示装置３は、タッチパネルを備えるため、タッチパネルの機能のみに着目した場合は、入力装置とみなすことができる。
【００１６】
制御装置１は、図２に示すように、機能構成として、制御部１０と、記憶部２０と、通信部３１と、出力部３２と、入力部３３と、を備える。
【００１７】
制御部１０は、ＣＰＵ（Ｃｅｎｔｒａｌ Ｐｒｏｃｅｓｓｉｎｇ Ｕｎｉｔ）を備え、記憶部２０に記憶されたプログラムを実行することにより、各部（機器状態取得部１１、画像取得部１２、位置取得部１３、画面構築部１４、機器制御部１５、制御内容決定部１６）の機能を実現する。
【００１８】
機器状態取得部１１は、後述する通信部３１を介して、換気装置２から、換気装置２の運転状態の情報を取得する。
【００１９】
画像取得部１２は、後述する画面構築部１４が表示画面を構築する際に必要となる換気装置２、換気装置２により生じる空気の流れを示すシンボル、他の設備、間取り図、模式図等の画像の情報を後述する画像情報記憶部２１から取得する。
【００２０】
位置取得部１３は、後述する画面構築部１４が表示画面を構築する際に必要となる、各設備の配置位置や、換気装置２により生じる空気の流れを示すシンボルの配置位置や回転角度を後述する建屋情報記憶部２２から取得する。
【００２１】
画面構築部１４は、機器状態取得部１１が取得した換気装置２の運転状態の情報と、画像取得部１２が取得した画像の情報と、位置取得部１３が取得した配置位置の情報と、に基づき、換気装置２及び他の設備を含む建屋の間取り図又は模式図を構築する。
【００２２】
機器制御部１５は、換気装置２に対して、通信部３１を介して、電源のＯＮ／ＯＦＦや風量といった運転状態を制御する制御信号を送信する。
【００２３】
制御内容決定部１６は、後述する入力部３３が検出した入力操作に基づき、換気装置２を制御する内容である制御内容を決定する。この制御内容はユーザが換気装置２を制御するために入力部３３を介して入力操作した内容に対応するものである。
【００２４】
記憶部２０は、ハードウェアとしてＲＯＭ（Ｒｅａｄ Ｏｎｌｙ Ｍｅｍｏｒｙ)、ＲＡＭ（Ｒａｎｄｏｍ Ａｃｃｅｓｓ Ｍｅｍｏｒｙ）等を備える。ＲＯＭには制御部１０のＣＰＵが実行するプログラムや、プログラムを実行する上で予め必要なデータが記憶されている。ＲＡＭには、プログラム実行中に作成されたり変更されたりするデータが記憶される。記憶部２０は機能的には、画像情報記憶部２１、建屋情報記憶部２２、機器状態記憶部２３及び画面記憶部２４を備える。
【００２５】
画像情報記憶部２１は、図３（ａ）に示すように、換気装置２、家具やエアコンといった他の設備、建屋の模式図及び間取り図の画像の情報を記憶する。図３（ａ）の例では、換気装置２の画像として、「画像ＩＤ」＃００１１の全館換気装置Ａと、「画像ＩＤ」＃００１２の換気装置Ａが記憶されている。また、換気装置２による換気方向を示すため、画像ＩＤ＃０００１〜＃０００３に各矢印のシンボルも記憶されている。図３（ａ）で、「ベース種別」となっているのは、その画像データが建屋の模式図用のデータなのか、間取り図用のデータなのかを表す。模式図用なら１、間取り図用なら２である。「画像名称」は、その画像の名称を表す。「シンボル画像サイズ」は、対象となる設備を模したシンボル画像のサイズを表す。「シンボル画像データ」は、シンボル画像の画像データを示す。「対応ＯＮ矢印」は、破線矢印シンボルにのみ存在するデータであり、その破線矢印シンボルで示される換気装置２の電源がＯＮの場合に、その破線矢印シンボルにオーバーラップして表示する実線矢印を示す。
【００２６】
これらの画像データにより表示される具体的な画像を図３（ｂ）〜図３（ｊ）に示す。
図３（ｂ）で示される「一方向矢印Ａ」のシンボル画像は、枠が破線の片矢印である。図３（ｃ）で示される「双方向矢印Ａ」のシンボル画像は、枠が破線の両矢印である。これらは、換気装置２により生じさせることのできる空気の流れを示すものである。図３（ｄ）で示される「ＯＮ矢印Ａ」のシンボル画像は、枠が実線の片矢印であり、こちらは換気装置２が電源ＯＮになっており、換気装置２の運転により実際に発生している空気の流れを示すために用いる。以下、これらの矢印を換気矢印とも呼ぶ。
【００２７】
模式図中には、図３（ｅ）に示す全館換気装置Ａのシンボル画像や図３（ｆ）に示す換気装置Ａのシンボル画像のような、換気装置２を示すシンボル画像を表示してもよく、これらを表示することにより、換気装置２の取付け位置をよりわかりやすく表現することができる。
【００２８】
画像情報記憶部２１には、また、他の設備の画像として、例えば、図３（ａ）の「シンボル画像データ」の項目に示すように、模式図用の「エアコンＡ」の画像である図３（ｇ）の画像や、間取り図用の「食卓Ａ」の画像である図３（ｈ）の画像も記憶されている。これら他の設備の画像も配置することで、建屋の情報をよりわかりやすく表現することができる。
【００２９】
画像情報記憶部２１には、また、ベース画像として、模式図及び間取り図自体の画像も記憶されている。例えば、図３（ａ）では、模式図及び間取り図自体を示すベース画像として、「模式図Ａ」及び「間取り図Ａ」のベース画像が記憶されている。画像ＩＤが＃１００１は「模式図Ａ」の画像データであり、図３（ｉ）に示す画像が記憶されている。また、画像ＩＤが＃２００１は「間取り図Ａ」の画像データであり、図３（ｊ）に示す画像が記憶されている。このベース画像である模式図や間取り図の上に、換気装置２や空気の流れを示す矢印、他の設備の画像を重ね合わせることにより、ユーザに提示する画面が構築される。
【００３０】
建屋情報記憶部２２は、建屋内の部屋の構造を示すベース画像として、どの画像ＩＤのベース画像を、どの位置にどのようなサイズで配置するかを記憶する。また、建屋情報記憶部２２は、どの設備がどのようなサイズでどの部屋に配置されているかも記憶する。これらの情報は、画像情報記憶部２１に記憶されている画像をどのように配置して建屋の情報を表現させるかを示す建屋情報となる。ここで、建屋内の玄関や廊下等、一般には部屋とは言えない場所も、建屋情報においては部屋として扱う。また、建屋情報としては、各換気装置２の換気元の部屋と換気先の部屋の情報も記憶する。例えば、図４（ａ）は、図４（ｂ）に示す建屋９の模式図の画面を構築するための建屋情報の例である。「ベースＩＤ」が＃１００１となっているので、図３（ａ）に示す画像情報記憶部２１を参照してベース画像として「模式図Ａ」が選択される。そして、この「模式図Ａ」の画像サイズを「ベースサイズ」にある７００×６００に伸縮し、「ベース位置」にある（０，６００）の座標に配置する。そして、「換気装置数」が５となっているので、この後に「装置ＩＤ、シンボル画像ＩＤ、シンボル画像位置、方向、換気矢印画像ＩＤ、換気矢印画像位置、換気矢印回転角度、換気元、換気先、風量」という換気装置２の１０個の情報のセットが、換気装置数である５つ分存在する。
【００３１】
ここで、「装置ＩＤ」は、換気装置２を一意に特定するためのＩＤであり、例えば、後述する通信部３１がＥｔｈｅｒｎｅｔ（登録商標）や無線ＬＡＮであり、通信プロトコルとしてＴＣＰ／ＩＰを用いる場合はＭＡＣアドレスを用いることができる。「シンボル画像ＩＤ」は画像情報記憶部２１に記憶されているシンボルの画像ＩＤを表す。図４（ａ）では、装置ＩＤが１の換気装置２のシンボル画像ＩＤは＃００１１となっているので、画像情報記憶部２１を参照して、「全館換気装置Ａ」が選択される。また、「シンボル画像位置」はシンボル画像の画像位置であり、画面左下を（０，０）として、右方向にＸ、上方向にＹを取ったときの（Ｘ，Ｙ）で表している。「方向」は、換気装置２が換気方向を反転させることができる否かを示す情報であり、換気方向が固定の場合は一方向を示す「１」、反転可能である場合は双方向を示す「２」となる。
【００３２】
「換気矢印画像ＩＤ」及び「換気矢印画像位置」は、換気矢印のシンボル画像についての画像ＩＤ及び画像位置である。「換気矢印回転角度」は、換気矢印のシンボル画像の回転角度である。図４（ａ）の装置ＩＤが１の換気装置２を具体例として説明すると、「換気矢印画像ＩＤ」が＃０００３であり、これは図３（ａ）を参照すると、シンボル画像は図３（ｄ）に示される実線で描かれた左向き矢印である。そして、図４（ａ）の「換気矢印回転角度」は９０°になっているので、図４（ｂ）の換気矢印シンボル９４ｃに示すように、構築される画面では左向き矢印を時計回りに９０°回転させた上向き矢印として表示される。「換気元」、「換気先」は、それぞれ換気装置２による換気元の部屋と換気先の部屋の情報である。ここで、換気装置２が建屋全体の換気を行う全館換気装置である場合、「換気元」は建屋９となる。なお、この「換気元」及び「換気先」は、模式図や間取り図を参照しなくても、換気元及び換気先を把握しやすくするために記憶しているものである。模式図や間取り図を参照すれば、換気矢印シンボル９４が表示される位置や回転角度によって、換気元と換気先はユーザに提示され、また、制御装置１は、装置ＩＤによって各換気矢印シンボル９４がどの換気装置２に対応しているかを把握できるため、建屋情報記憶部２２には「換気元」や「換気先」の情報を記憶しなくてもよい。「風量」は、換気装置２の電源ＯＮ時に設定可能な風量を表す。
【００３３】
次に「他設備数」が１となっているので、この後に「シンボル画像ＩＤ、シンボル画像位置」という他設備の２つの情報のセットが他設備数である１つ存在する。なお、他設備についても、換気装置２と同様に、制御装置１に運転状態を通信可能な設備であるなら、当該他設備の装置ＩＤを１番目のデータとして記述し、「装置ＩＤ、シンボル画像ＩＤ、シンボル画像位置」という他設備の３つの情報のセットとして構成してもよい。このようにすることで、換気装置２だけでなく、当該他の設備についても、その運転状態を取得して、換気装置２と同様に、当該他の設備の設置位置と運転状態とを同時に確認できるようになる。
【００３４】
図４（ａ）に示す建屋情報記憶部２２のデータ例に基づき画面を構築すると、図４（ｂ）に示すような模式図の画面となる。この図で、換気矢印シンボル９４ｃにより、建屋９に全館換気装置が設置されており、これにより屋外への排気を行うことができることがわかる。同様に、リビングとなっている１階の部屋９１ａ、キッチンとなっている１階の部屋９１ｂ、バスルームとなっている２階の部屋９２ｃそれぞれの換気矢印シンボル９４ａにより、それぞれの部屋に換気装置２が設置されており、これにより屋外への排気を行うことができることがわかる。また、換気矢印シンボル９４ｂにより、寝室となっている２階の部屋９２ａと、洗面所となっている２階の部屋９２ｂとの間で換気方向可変の空気搬送を行うことができることがわかる。なお、図４（ｂ）では換気方向可変の換気装置２は同一フロアの隣接する領域間で空気搬送を行うことができる例を示しているが、換気方向可変の換気装置２の換気元、換気先の位置関係は同一階の間に限定されることはなく、１Ｆと２Ｆの間であったり、床下と１Ｆの間であったりしてもよい。また、屋外への排気時は、換気先は屋外になるが、建屋周囲の屋外なので、便宜上、該屋外は、建屋の領域の一つとして扱うこととする。
【００３５】
図５（ａ）は、図５（ｂ）に示す建屋９の間取り図の画面を構築するための建屋情報の例である。ベースＩＤが＃２００１となっているので、画像情報記憶部２１を参照してベース画像として「間取り図Ａ」が選択される。そして、この「間取り図Ａ」の画像サイズを「ベースサイズ」にある７００×９００に伸縮し、「ベース位置」にある（０，６００）の座標に配置する。そして、「換気装置数」が４となっているので、この後に「装置ＩＤ、換気矢印画像ＩＤ、換気矢印画像位置、方向、換気矢印回転角度、換気元、換気先、風量」という換気装置２の情報の８つの情報のセットが、換気装置数である４つ分存在する。図５の例では間取り図上に換気装置２のシンボル画像を表示していないため、図５（ａ）に示す間取り図の建屋情報記憶部２２のデータ量は、図４（ａ）に示す模式図の建屋情報記憶部２２のデータ量よりも少なくなる。なお、換気矢印シンボル９４が表示される位置や回転角度によって、換気元と換気先はユーザに提示され、また、制御装置１は、装置ＩＤによって、各換気矢印シンボル９４がどの換気装置２に対応しているかを把握できるため、模式図の場合と同様、間取り図の場合も、建屋情報記憶部２２には「換気元」や「換気先」の情報を記憶しなくてもよい。また、図４（ｂ）と同様に、図５（ｂ）でも全館換気装置の運転状態を表示する場合は、屋根裏９３ａや床下９３ｂのように、間取り外の領域に「全館」を示す全館領域９５を設け、そこに換気矢印シンボル９４を配置することができる。
【００３６】
図５（ａ）の建屋情報記憶部２２のデータに基づき、画面を構築すると図５（ｂ）のような画面になる。この図で、１階の部屋９１ａ、１階の部屋９１ｂ、２階の部屋９２ｃそれぞれの換気矢印シンボル９４ａにより、それぞれの部屋に換気装置２が設置されており、これにより屋外への排気を行うことができることがわかる。また、換気矢印シンボル９４ｂにより、部屋９２ａと、部屋９２ｂとの間で換気方向可変の空気搬送を行うことができることがわかる。
【００３７】
制御装置１を工場から出荷する際又は販売店で販売する際には、その制御装置１のユーザの住んでいる住居に存在する設備の情報や、建屋９の情報に基づき、画像情報記憶部２１や建屋情報記憶部２２に必要なデータを記憶してから出荷又は販売する。建屋情報記憶部２２については、ユーザの建屋９にカスタマイズすることが必要なので、模式図や間取り図をユーザが画面上で編集した結果を建屋情報記憶部２２に記憶させることができるアプリケーションソフトを制御装置１に内蔵させてもよい。
【００３８】
機器状態記憶部２３は、機器状態取得部１１が取得した換気装置２の運転状態を記憶する。この情報は、換気装置２の運転状態に変化があるか否かの判定及び、運転制御時に現在の運転状態を把握するために用いる。記憶する情報は、図６に示すように、電源のＯＮ／ＯＦＦの他、例えば、換気方向、換気風量である。熱交換機能がある換気装置２の場合は、熱交換モードのＯＮ／ＯＦＦの状態も記憶する。このうち、「換気方向」については、換気方向を反転可能な換気装置２が、図３（ａ）に示す画像情報記憶部２１の「対応ＯＮ矢印」を、図４（ａ）に示す建屋情報記憶部２２の「換気矢印回転角度」だけ時計回りに回転した向きに換気している場合は「１」を、その反対方向に換気している場合は「２」を値に持つ。
【００３９】
画面記憶部２４は、画面構築部１４が構築する画面の情報を記憶する。表示装置３がＨＤＭＩ（登録商標）、ＤＶＩ（Ｄｉｇｉｔａｌ  Ｖｉｓｕａｌ  Ｉｎｔｅｒｆａｃｅ）等の映像インタフェースで接続される場合や、制御装置１に含まれる場合は、画面記憶部２４は所謂ビデオＲＡＭであり、画面記憶部２４の記憶アドレスと画面上の出力位置とが対応し、画面記憶部２４に書き込まれるデータの値は、画面上の色や明暗に対応している。表示装置３がスマートフォンやタブレット等の表示デバイスを備えた情報端末である場合は、画面記憶部２４はビデオＲＡＭではなく、表示装置３の表示デバイスに出力される表示データが記憶される。この場合、この表示データをどのようなデータ構造にするかは任意であるが、以下の説明ではこの表示データを記憶する場合も、画面記憶部２４の記憶アドレスと表示装置３の画面上の出力位置とが対応し、画面記憶部２４に書き込まれるデータの値が、表示装置３の画面上の色や明暗に対応しているものとして説明する。
【００４０】
通信部３１は、制御装置１が換気装置２から換気装置２の運転状態を取得したり、また、制御装置１が換気装置２へ制御信号を送信したりするために、通信を行う通信デバイスである。これは任意の通信デバイスを使用可能である。通信インタフェースにも制限はない。例えばＥｔｈｅｒｎｅｔ（登録商標）のような有線の通信インタフェースでもよいし、無線ＬＡＮやＢｌｕｅｔｏｏｔｈ（登録商標）といった無線の通信インタフェースでもよい。
【００４１】
出力部３２は、画面構築部１４が構築し、画面記憶部２４に書き込んだ画面を表示装置３に出力するための出力インタフェースである。このインタフェースは何でも良く、例えばＨＤＭＩ（登録商標）が用いられる。なお、制御装置１が表示デバイスを備えている場合、出力部３２が表示装置３と一体化していると考えてもよい。また、表示装置３がスマートフォンやタブレット等の表示デバイスを備えた情報端末である場合は、出力部３２は、Ｅｔｈｅｒｎｅｔ（登録商標）のような有線の通信インタフェースでもよいし、無線ＬＡＮやＢｌｕｅｔｏｏｔｈ（登録商標）のような無線の通信インタフェースでもよい。いずれの場合も、表示装置３は、出力部３２からの情報を受け取ることができるインタフェースを備えている。
【００４２】
入力部３３は、ユーザの操作を検出するための入力デバイスにより、ユーザが、表示装置３の画面上で行った入力操作を検出する。入力デバイスとしては、例えば、キーボード、マウス、表示装置３のタッチパネルを含む。入力部３３は、どの操作が画面上のどの位置で行われたか画面上の座標の情報を制御部１０に通知する。また、後述するドラッグ操作のように、方向を持つ操作が行われた場合は、操作された方向の情報も制御部１０に通知する。なお、後述するピンチアウト操作、ピンチイン操作においては、制御部１０に通知する座標の情報は、２本の指それぞれがタッチしている画面上の２つの点の中点の座標の情報となる。
【００４３】
指による操作としては、画面に一瞬接触してすぐに離すタップ操作、タップ操作を２回連続して行うダブルタップ操作、指を画面に接触させたままスライドさせるスワイプ操作、２本の指を画面に接触させスライドして近づけるピンチイン操作、２本の指を画面に接触させスライドして遠ざけるピンチアウト操作等がある。マウスによる操作としては、マウスのボタンを一瞬押してすぐに離すクリック操作、クリック操作を２回続けて行うダブルクリック操作、マウスのボタンを押しながらマウスカーソルを移動させるドラッグ操作等がある。キーボードによる操作としては、カーソルキーによるカーソル移動操作、エンターキーによる決定操作、カーソル移動後にエンターキーで決定する選択操作等がある。これらの操作が画面上のどの座標でどの向きに行われたかが入力部３３により入力され、制御部１０に通知される。なお、以下の説明中の「ドラッグ」操作には、指による「スワイプ」操作も含まれる。
【００４４】
次に、実施の形態１に係る制御装置１が行う画面構築処理について、図７を参照して説明する。図７は実施の形態１に係る画面構築処理のフローチャートである。画面構築処理は、制御装置１の制御プログラムが起動すると開始され、この処理により、各装置の状態が設置場所とともにわかりやすく出力される。なお、制御装置１の制御プログラムは制御装置１の電源を入れると起動するので、制御装置１の電源を入れると、画面構築処理が開始される。
【００４５】
まず、機器状態取得部１１が、通信部３１を介して、換気装置２から運転状態の情報を取得する（ステップＳ１０１）。そして、制御部１０は、機器状態取得部１１が取得した換気装置２の運転状態を機器状態記憶部２３に記憶する（ステップＳ１０２）。次に、画像取得部１２が表示画面構築に必要な画像の情報を建屋情報記憶部２２及び画像情報記憶部２１から取得し、位置取得部１３が表示画面構築に必要な画像の配置位置や回転角度に関する情報を建屋情報記憶部２２から取得する（ステップＳ１０３）。
【００４６】
次に、ステップＳ１０１で取得した換気装置２の運転状態とステップＳ１０３で取得した画像情報や配置位置に基づき、画面構築部１４は、図４（ｂ）や図５（ｂ）のような建屋９の画面を構築して画面記憶部２４に書き込む。そして、画面構築部１４が構築した画面を表示する情報が出力部３２から表示装置３に出力される（ステップＳ１０４）。
【００４７】
次に制御部１０は、ユーザからの入力操作が入力部３３により検出されるのを３０秒間待つ（ステップＳ１０５）。入力操作が検出されない場合には、再度換気装置２の現在の運転状態を取得して表示する処理に戻るのだが、換気装置２の運転切替えは頻繁に行われるものではなく、従って運転状態の描画はそれほど頻繁に更新する必要はない。頻繁に運転状態を取得するのは省電力の観点でも無駄なので、ここで３０秒の待機時間を設けている。この３０秒というのは、予め設定された待機時間の一例であり、待機時間は例えば１分や２０秒といった任意の時間を設定可能である。なお、制御部１０は図示しないタイマーを備えており、このタイマーを使用して待機時間を計測する。
【００４８】
ステップＳ１０５での入力待機中に制御部１０は、ユーザからの入力操作を入力部３３が検出したか否かの判定を行う（ステップＳ１０６）。待機時間中に入力操作を検出した場合（ステップＳ１０６；Ｙｅｓ）、即座に待機を中止し、後述する入力操作に応じた制御処理を行って（ステップＳ１０７）、ステップＳ１０９に進む。待機時間の３０秒間に入力操作を検出しなかった場合（ステップＳ１０６；Ｎｏ）は、再度、機器状態取得部１１が、通信部３１を介して、換気装置２から運転状態を取得し（ステップＳ１０８）、ステップＳ１０９に進む。なお、ステップＳ１０７の制御処理においても、機器状態取得部１１が、通信部３１を介して、換気装置２から運転状態を取得している。
【００４９】
そしてステップＳ１０９では、制御部１０は、機器状態記憶部２３に記憶されている運転状態と、ステップＳ１０７又はステップＳ１０８で取得した運転状態と、を比較することによって、換気装置２の運転状態に変化があるかどうかを判定する（ステップＳ１０９）。
【００５０】
運転状態に変化があるなら（ステップＳ１０９；Ｙｅｓ）、ステップＳ１０２に戻って、ステップＳ１０８で取得した運転状態を機器状態記憶部２３に記憶し、それ以後再度換気装置２の運転状態の表示を繰り返す。運転状態に変化がないなら（ステップＳ１０９；Ｎｏ）、制御部１０は制御プログラムが動作中かを判定する（ステップＳ１１０）。
【００５１】
制御プログラムが動作中であれば（ステップＳ１１０；Ｙｅｓ）、ステップＳ１０５に戻る。制御プログラムが動作中でなければ（ステップＳ１１０；Ｎｏ）、処理を終了する。
【００５２】
以上が、画面構築処理の全体の流れとなる。次に、画面構築処理のステップＳ１０４で実行される画面構築・出力処理について説明する。この処理は、画面構築部１４が、建屋９の模式図や間取り図の上に、換気装置２の運転状態を表現する画面を構築し、出力部３２を介して出力する処理である。この運転状態の表現の方法は、図３（ｂ）〜（ｄ）に示した換気矢印のシンボル画像を用いて行う。換気装置２の運転状態としては、例えば電源ＯＮ／ＯＦＦ、風量、換気方向がある。それぞれの表現方法の例を説明する。
【００５３】
まず、電源ＯＮ／ＯＦＦ状態は、図３（ｄ）で示した枠線が実線の矢印か、図３（ｂ）、図３（ｃ）で示した枠線が破線の矢印か、で表現する。実線の矢印が電源ＯＮを表し、破線の矢印は電源ＯＦＦを表す。風量は、矢印の太さで表現する。例えば、風量強では矢印を通常の２倍の太さで描画し、風量弱では矢印を通常の半分の太さで描画する。風量の強弱の度合いに応じて太さの倍率を細かく変化させてもよい。また、その際、風量を示す文字、例えば「弱」を、矢印の近傍に表示してもよい。換気方向は、矢印の向きで表現する。換気方向を反転可能な換気装置２の電源ＯＦＦ時は図３（ｃ）に示す破線の両矢印で表現し、電源ＯＮ時は換気方向の向きの実線の片矢印を、破線の両矢印の上にオーバーラップさせて描画する。換気方向を反転可能な換気装置２の現在の換気方向の向きは、機器状態記憶部２３の「換気方向」を参照する事により取得できる。
【００５４】
なお、換気装置２の運転状態のその他の表現例として、換気装置２が設置されている部屋の背景色の濃淡を変えるようにしてもよい。この場合、風量ごとの背景色として、例えば、風量強は暖色で風量弱は寒色で表現したり、風量強は濃い色で風量弱は薄い色で表現したりしてもよい。また、風量強は背景色を不透明で表現し、風量弱になるにつれて背景色の透明度を高めていき、電源ＯＦＦでは背景色を透明とする、といった表現にしてもよい。そして、換気矢印による表現と背景色による表現の両方を用いてもよい。
【００５５】
このステップＳ１０４での画面構築・出力処理について、図８を参照して説明する。図８は、実施の形態１に係る画面構築・出力処理のフローチャートである。
【００５６】
まず、画面構築部１４は、建屋情報記憶部２２から取得したベースＩＤで示される画像ＩＤの模式図又は間取り図の画像データを画像情報記憶部２１から取得し、建屋情報記憶部２２から取得したベースサイズに伸縮し、ベース位置に対応する画面記憶部２４のアドレスに書き込む（ステップＳ２０１）。
【００５７】
次に、画面構築部１４は、建屋情報記憶部２２から取得した換気装置２や他設備の画像ＩＤの画像データを画像情報記憶部２１から取得し、建屋情報記憶部２２から取得した画像位置に対応する画面記憶部２４のアドレスに書き込む（ステップＳ２０２）。
【００５８】
次に、画面構築部１４は、建屋情報記憶部２２から取得した換気装置２の換気矢印の画像ＩＤの画像データを画像情報記憶部２１から取得し、建屋情報記憶部２２から取得した換気矢印回転角度の情報に基づいて換気矢印の画像データを回転する。そして、運転状態記憶部２３に記憶されている換気装置２の運転状態に基づき、前述の表現方法に従って換気矢印の太さの変更を行う（ステップＳ２０３）。換気装置２が電源ＯＮであり、画像情報記憶部２１の換気矢印の「対応ＯＮ矢印」に別の画像ＩＤが示されている場合は、その別の画像ＩＤの画像データを用いて回転及び太さの変更を行い、元の換気矢印の画像データにオーバーラップさせる。
【００５９】
そして、画面構築部１４は、ステップＳ２０３で処理した換気矢印の画像データを建屋情報記憶部２２から取得した換気矢印画像位置に対応する画面記憶部２４のアドレスに書き込み（ステップＳ２０４）、終了する。なお、換気装置２が設置されている部屋の背景色の変更を行う場合は、ステップＳ２０１において、ベース画像の画像データを取得後、換気装置２の運転状態に基づき、換気装置２が設置されている部屋の背景色の変更を行ってから、建屋情報記憶部２２から取得したベースサイズに伸縮し、ベース位置に対応する画面記憶部２４のアドレスに書き込む。
【００６０】
以上の処理により、図４（ｂ）及び図５（ｂ）に示す画面が出力され、換気装置２の運転状態が、表示画面上の換気矢印シンボル９４のサイズや向き、枠線、色によって判別できるようになる。図４（ｂ）は模式図により、そして、図５（ｂ）は間取り図により、建屋９内の１階の部屋９１、２階の部屋９２、各換気装置２及び他設備を描画した例である。図４（ｂ）に示す模式図には、建屋９内に配置された部屋９１ａ、９１ｂ、９２ａ、９２ｂ、９２ｃと、建屋９及び各部屋９１ａ、９１ｂ、９２ａ、９２ｂ、９２ｃに配置された換気矢印シンボル９４ａ、９４ｂ、９４ｃと、１階の部屋９１ａに配置された他設備のシンボル画像が描画されている。図５（ｂ）に示す間取り図には、建屋９内に配置された部屋９１ａ、９１ｂ、９２ａ、９２ｂ、９２ｃと、各部屋９１ａ、９１ｂ、９２ａ、９２ｂ、９２ｃに配置された換気矢印シンボル９４ａ、９４ｂと、１階の部屋９１ａに配置された他設備のシンボル画像が描画されている。
【００６１】
次に、画面構築処理のステップＳ１０７における制御処理について、図９を参照して説明する。図９は、実施の形態１に係る制御処理のフローチャートである。この処理は、入力部３３が、表示装置３のタッチパネルの操作インタフェースへのユーザからの入力を検出した際に実行される。
【００６２】
まず、制御内容決定部１６は、入力部３３が検出した入力操作の内容を取得する（ステップＳ３０１）。この入力操作の内容とは、操作の種類、操作が行われた画面上の座標を含む。また、ドラッグのような方向のある操作の場合は、操作の方向も含む。そして、制御部１０は、制御内容決定部１６が取得した入力操作が、換気装置２を制御する入力操作か否かの判定を行う（ステップＳ３０２）。この判定は、入力操作が行われた画面上の座標が、建屋情報記憶部２２に記憶されているいずれかの換気矢印画像位置の近傍に含まれるか否かで行うことができる。ここで、換気矢印画像位置の近傍に含まれるとは、換気矢印の画像を、中心を変えずに２倍に拡大した画像の範囲に含まれることを言うこととする。この「２倍」というのは設定例であり、画面サイズ、換気矢印のサイズ、ユーザの指のサイズに応じて、変更してもかまわない。
【００６３】
もし、入力操作が行われた画面上の座標が、複数の換気矢印画像位置の近傍に含まれてしまう場合は、該複数の換気矢印画像の中心座標の中で、入力操作が行われた画面上の座標に最も近い中心座標を持つ換気矢印画像に対応する換気装置２が制御対象となる。入力操作が行われた画面上の座標に最も近い中心座標を持つ換気矢印画像が複数ある場合は、例えば装置ＩＤの小さい順に優先度を高くし、最も優先度の高い換気装置２を制御対象とする。
【００６４】
この判定の結果、換気装置２を制御する入力操作でなければ（ステップＳ３０２；Ｎｏ）、必要に応じて該入力操作に応じた処理を実行し（ステップＳ３０３）、機器状態取得部１１が、通信部３１を介して、換気装置２から運転状態の情報を取得し（ステップＳ３１１）、制御処理を終了する。なお、煩雑になるため、フローチャートでは省略しているが、この入力操作が無効な操作の場合は、ステップＳ３０３では、ステップＳ３０５と同様に警告表示を行う。
【００６５】
判定の結果、換気装置２を制御する入力操作であれば（ステップＳ３０２；Ｙｅｓ）、制御部１０は、該入力操作に応じた換気装置２の制御内容が実行可能か否かの判定を行う（ステップＳ３０４）。この判定は、ステップＳ３０２で近傍と判定した換気矢印に対応する換気装置２の現在の運転状態を機器状態記憶部２３から取得し、ステップＳ３０１で取得した操作の種類に対応する制御が実行可能か否かにより判定する。操作が方向を伴うものであった場合は、建屋情報記憶部２２に記憶されている換気矢印回転角度と、制御内容決定部１６が取得した操作の方向との角度関係に基づき、電源ＯＮ／ＯＦＦなのか、換気方向反転なのか、風量調整なのかといった制御の内容を決定し、その制御内容が実行可能か否かを判定する。
【００６６】
判定の結果、実行不可能な制御内容であれば（ステップＳ３０４；Ｎｏ）、制御部１０は無効な操作である事を示す警告表示を行い（ステップＳ３０５）、機器状態取得部１１が、通信部３１を介して、換気装置２から運転状態の情報を取得し（ステップＳ３１１）、制御処理を終了する。実行可能な制御内容であれば（ステップＳ３０４；Ｙｅｓ）、機器制御部１５は、その制御内容に対応する制御信号を生成し、通信部３１を介して換気装置２に該制御信号を送信する（ステップＳ３０６）。
【００６７】
次に、制御部１０は、換気装置２の制御処理が完了したか否かの判定を行う（ステップＳ３０７）。ここで、この判定は、例えば、送信した制御信号に対する換気装置２からの応答信号の内容を確認することにより行う。判定の結果、制御処理が完了していなければ（ステップＳ３０７；Ｎｏ）、制御処理中か否かの判定を繰り返す（ステップＳ３０７）。
【００６８】
換気装置２の制御処理が完了したら（ステップＳ３０７；Ｙｅｓ）、機器状態取得部１１が、通信部３１を介して、換気装置２から運転状態の情報を取得する（ステップＳ３０８）。そして、制御部１０は、機器状態取得部１１が取得した換気装置２の運転状態が、機器制御部１５がステップＳ３０６で送信した制御信号で示される制御の内容と一致するか否かを判定する（ステップＳ３０９）。
【００６９】
一致するなら（ステップＳ３０９；Ｙｅｓ）、制御処理を終了する。一致しなければ（ステップＳ３０９；Ｎｏ）、ユーザから取得した操作内容に基づく運転状態にはならなかった旨を通知する警告表示を行い（ステップＳ３１０）、制御処理を終了する。
【００７０】
以上の制御処理により、ユーザによる入力操作に基づいて、換気装置２を制御することができる。そして、この制御処理の終了後、ユーザによる入力操作によって運転状態が変化していれば、図７を参照して説明した画面構築処理により、画面の更新が行われる。なお、ユーザによる換気装置２の制御の入力操作は、電源ＯＮ、電源ＯＦＦ、換気方向反転、風量調整の４種に大別できる。以下にそれぞれの入力操作の例を説明する。
【００７１】
まず、画面が模式図の場合の電源ＯＮの入力操作例と、入力操作に伴う画面遷移について、図１０を参照して説明する。図１０は図４（ｂ）の状態から装置ＩＤ＝４の換気装置２を電源ＯＮする場合の例である。
【００７２】
図１０（ａ）に示すように、ユーザは、入力操作として、指を、換気元となる部屋９２ａから換気先となる部屋９２ｂにスワイプする。図１０（ａ）では、指５０ａを指５０ｂにスライドする様子を示している。この操作は、マウスによって、マウスポインタを、換気元となる部屋９２ａから換気先となる部屋９２ｂにドラッグする操作でもよい。このスワイプ操作又はドラッグ操作を制御内容決定部１６が取得すると、上述したステップＳ３０６の処理により、機器制御部１５が、通信部３１を介して、換気装置２の電源をＯＮにする信号と、部屋９２ａから部屋９２ｂへ空気を搬送する指示を出す信号を換気装置２に送信する。そして、この信号を受信した換気装置２は電源がＯＮになり、部屋９２ａから部屋９２ｂへの空気の搬送を開始する。上述したステップＳ３０９で、ユーザが入力操作したとおりに換気装置２が運転していることが確認されると、画面構築処理によって、出力画面が更新される。これらの処理によって、図４（ｂ）では部屋９２ａと部屋９２ｂとの間は、換気矢印シンボル９４ｂにより、双方向換気可能で電源ＯＦＦ状態であることを示していたのが、図１０（ｂ）では換気矢印シンボル９４ｃがオーバーラップ表示され、部屋９２ａから部屋９２ｂへ空気搬送していることが表現される。
【００７３】
間取り図で同様の操作を行う場合の画面の遷移例を図１１に示す。間取り図の例では、図５（ｂ）の状態から、図１１（ａ）に示すように、換気元となる部屋９２ａから換気先となる部屋９２ｂへ指（ポインタ）をドラッグする。このドラッグ操作を制御内容決定部１６が取得すると、機器制御部１５が、通信部３１を介して、換気装置２の電源をＯＮにする信号と、部屋９２ａから部屋９２ｂへ空気を搬送する指示を出す信号を換気装置２に送信する。そして、この信号を受信した換気装置２は電源がＯＮになり、部屋９２ａから部屋９２ｂへの空気の搬送を開始する。そして、図１１（ｂ）の画面に遷移する。
【００７４】
以上、破線矢印に沿ってドラッグする操作により換気装置２の電源がＯＮになり、矢印が実線に変わるので、ユーザはどう操作すればどのように空気の流れを発生させられるのかを容易に把握でき、ユーザの操作により換気装置２の電源がＯＮにされたことが直感的に理解できる。
【００７５】
なお、上述の例では換気元の部屋から換気先の部屋へポインタをドラッグする入力操作を電源ＯＮ操作としたが、このほかにも、電源ＯＦＦ状態を示す換気矢印シンボル９４ａ、９４ｂをタップ（クリック）あるいはダブルタップ（ダブルクリック）する操作を電源ＯＮ操作としてもよい。この場合も上述の例と同様、ユーザによるタップ又はダブルタップの操作を制御内容決定部１６が取得すると、機器制御部１５が、通信部３１を介して、換気装置２の電源をＯＮにする信号を換気装置２に送信する。そして、この信号を受信した換気装置２の電源がＯＮになる。この場合、換気方向可変の換気装置２に対しては、前回使用時の換気方向で電源ＯＮにしてもよいし、あるいは起動時の換気方向があらかじめ設定されており、その設定されている換気方向で電源ＯＮにしてもよい。
【００７６】
次に、電源ＯＦＦの操作の入力例と、入力操作に伴う画面遷移について、図１２及び図１３を参照して説明する。ここでは、部屋９２ｃに設置され、部屋９２ｃから屋外に排気を行う、装置ＩＤ＝５の換気装置２の電源をＯＦＦにする例を説明する。
【００７７】
図１２（ａ）はバスルームに設置されている装置ＩＤ＝５の換気装置２が電源ＯＮ状態の模式図である。この状態で、図１２（ｂ）に示すように、入力操作として、ユーザは２階の部屋９２ｃと屋外との間に表示された換気矢印シンボル９４ｃの方向に対し、垂直方向に指（ポインタ）をドラッグする。このドラッグ操作を制御内容決定部１６が取得すると、機器制御部１５が、通信部３１を介して、換気装置２の電源をＯＦＦにする信号を換気装置２に送信する。そして、この信号を受信した換気装置２は電源がＯＦＦになる。そして、図１３（ａ）に示すように、２階の部屋９２ｃと屋外との間に表示されたシンボル画像が電源ＯＦＦを示す換気矢印シンボル９４ａに変化する。
【００７８】
以上、実線矢印を切るように矢印に垂直にドラッグする操作により換気装置２の電源がＯＦＦにされ、矢印が破線に変わるので、ユーザはどう操作すれば換気装置２の電源をＯＦＦさせられるのかを容易に把握でき、ユーザの操作により換気装置２の電源がＯＦＦにされたことが直感的に理解できる。なお、実際には、正確に垂直にドラッグするのは困難なので、実線矢印とドラッグの方向との角度が６０°〜１２０°の範囲に含まれていれば、制御内容決定部１６は、換気装置２を制御する制御内容を、換気装置２の電源をＯＦＦにする制御内容に決定し、機器制御部１５が、通信部３１を介して、換気装置２の電源をＯＦＦにする信号を換気装置２に送信する。
【００７９】
なお、他の入力例として、図１３（ｂ）に示すように、矢印上を矢印と反対方向に指（ポインタ）をドラッグする操作を電源ＯＦＦ操作としてもよい。該操作は、換気装置２の流れをせき止めるようなイメージであり、これもまた電源ＯＦＦの操作であることが直感的に理解できる。また、電源ＯＮ状態を示す換気矢印シンボル９４ｃをタップ（クリック）あるいはダブルタップ（ダブルクリック）する操作を電源ＯＦＦ操作としてもよい。これらの電源ＯＦＦ操作に対しても、上述の例と同様に、ユーザによるドラッグ、タップ又はダブルタップの操作を制御内容決定部１６が取得すると、機器制御部１５が、通信部３１を介して、換気装置２の電源をＯＦＦにする信号を換気装置２に送信する。そして、この信号を受信した換気装置２の電源がＯＦＦになる。
【００８０】
換気装置２の換気方向反転操作については、図１４を参照して説明する。ここでは、部屋９２ａと部屋９２ｂとの間に設置された、装置ＩＤ＝４の換気装置２の空気搬送方向を反転する例を説明する。
【００８１】
図１４（ａ）は装置ＩＤ＝４の換気装置２が電源ＯＮで、部屋９２ａから部屋９２ｂに空気搬送を行っている状態の模式図である。この状態で、図１４（ｂ）に示すように、入力操作として、ユーザは部屋９２ａと部屋９２ｂとの間に表示された換気矢印シンボル９４ｃ上で、部屋９２ｂから部屋９２ａの方向に指（ポインタ）をドラッグする。このドラッグ操作を制御内容決定部１６が取得すると、機器制御部１５が、通信部３１を介して、換気装置２の空気搬送方向を反転する指示を出す信号を換気装置２に送信する。そして、この信号を受信した換気装置２は空気搬送方向を反転する。そして、図１４（ｃ）に示すように、換気矢印シンボル９４ｃは、部屋９２ｂから部屋９２ａの向きに変化する。
【００８２】
以上、実線矢印の反対向きにドラッグする操作により換気装置２の換気方向が反転され、換気矢印シンボル９４の向きも反転するので、ユーザはどう操作すれば換気装置２の換気方向を反転させられるのかを容易に把握でき、ユーザの操作により換気装置２の換気方向が反転されたことが直感的に理解できる。
【００８３】
なお、換気矢印シンボル９４ｃをタップ（クリック）あるいはダブルタップ（ダブルクリック）する操作を空気搬送方向の反転操作としてもよい。
【００８４】
最後に、風量調整の入力操作について、図１５から図１８を参照して説明する。ここでは、部屋９２ａと部屋９２ｂとの間に設置された、装置ＩＤ＝４の換気装置２の風量を調整する例を説明する。なお、風量の強弱は換気矢印シンボル９４ｃのシンボルサイズで表現する。
【００８５】
図１５、図１６は、それぞれピンチアウト、ピンチイン操作により風量を増減させる場合の画面遷移例である。まず、風量を増加させる場合の例を説明する。図１４（ｃ）の部屋９２ｂから部屋９２ａに空気搬送されている状態で、図１５（ａ）に示すように、部屋９２ｂと部屋９２ａとの間の換気矢印シンボル９４ｃをピンチアウト操作する。図１５（ａ）では、指５０ａと指５０ｂとを同時に画面にタッチしてからお互いに離れる方向にスライドさせている様子を示している。このピンチアウト操作を制御内容決定部１６が取得すると、機器制御部１５が、通信部３１を介して、換気装置２の風量を増加させる指示を出す信号を換気装置２に送信する。そして、この信号を受信した装置ＩＤ＝４の換気装置２は風量を増加させる。そして、図１５（ｂ）に示すように、換気矢印シンボル９４ｄのシンボルサイズが拡大して太くなる。
【００８６】
一方、風量を減少させる場合の例であるが、図１５（ｂ）の状態で、図１６（ａ）に示すように、部屋９２ｂと部屋９２ａとの間の換気矢印シンボル９４ｄをピンチイン操作する。図１６（ａ）では、指５０ａと指５０ｂとを同時に画面にタッチしてからお互いに近づける方向にスライドさせている様子を示している。このピンチイン操作を制御内容決定部１６が取得すると、機器制御部１５が、通信部３１を介して、換気装置２の風量を減少させる指示を出す信号を換気装置２に送信する。そして、この信号を受信した装置ＩＤ＝４の換気装置２は風量を減少させる。そして、図１６（ｂ）に示すように、換気矢印シンボル９４ｃのシンボルサイズが縮小して細くなる。
【００８７】
以上、一般的に拡大する際に用いられるピンチアウト操作、縮小する際に用いられるピンチイン操作をそれぞれ風量増、風量減の操作とし、該操作に伴い換気矢印シンボル９４を拡大、縮小することにより、ユーザはどう操作すれば換気風量を増減させられるのかを容易に把握でき、ユーザの操作により換気装置２の風量が増減されたことが直感的に理解できる。
【００８８】
なお、ピンチイン操作により風量を強から弱に段階的に減少させ、さらにピンチイン操作を続けることにより風量弱から電源ＯＦＦできるようにしてもよい。この場合、電源ＯＦＦに際して実線の換気矢印のシンボルを見えなくなるまで縮小することが好ましい。風量を示す実線の換気矢印シンボル９４がなくなることにより、ユーザはピンチイン操作により換気装置２の電源をＯＦＦにできることを容易に把握でき、ユーザのピンチイン操作により電源ＯＦＦされたことが直感的に理解できる。
【００８９】
図１７、図１８は、画面上の換気矢印シンボル９４ｃのドラッグにより風量を増減させる場合の画面遷移例である。まず、図１４（ｃ）の部屋９２ｂから部屋９２ａに空気搬送されている状態で、図１７（ａ）に示すように、部屋９２ｂと部屋９２ａとの間の換気矢印シンボル９４ｃを部屋９２ｂから部屋９２ａの方向にドラッグする。このドラッグ操作を制御内容決定部１６が取得すると、機器制御部１５が、通信部３１を介して、換気装置２の風量を増加させる指示を出す信号を換気装置２に送信する。そして、この信号を受信した装置ＩＤ＝４の換気装置２は風量を増加させる。そして、図１７（ｂ）に示すように、換気矢印シンボル９４ｄのシンボルサイズが拡大して太くなる。
【００９０】
一方、図１７（ｂ）の状態で、図１８（ａ）に示すように、部屋９２ｂと部屋９２ａとの間の換気矢印シンボル９４ｄを部屋９２ａから部屋９２ｂの方向にドラッグすると、このドラッグ操作を制御内容決定部１６が取得し、機器制御部１５が、通信部３１を介して、換気装置２の風量を減少させる指示を出す信号を換気装置２に送信する。そして、この信号を受信した装置ＩＤ＝４の換気装置２は風量を減少させる。そして、図１８（ｂ）に示すように、換気矢印シンボル９４ｃのシンボルサイズが縮小して細くなる。
【００９１】
なお、逆向きドラッグは、電源ＯＦＦ、換気方向反転及び風量減少のいずれの操作にもなり得るが、例えば、１回の逆向きドラッグ操作ですぐに電源ＯＦＦにするのではなく、逆向きドラッグ操作をするたびに、風量減少と実線の換気矢印シンボル９４のサイズ縮小を行い、実線の換気矢印シンボル９４が見えなくなる時点で電源ＯＦＦにしてもよい。また、換気方向を反転可能な換気装置２の場合は、さらに逆向きドラッグ操作を行うことで、換気方向を反転させてもよい。
【００９２】
以上、矢印と同じ方向のドラッグ操作、逆方向のドラッグ操作をそれぞれ風量増、風量減の操作とし、該操作に伴い換気矢印シンボル９４を拡大、縮小することにより、ユーザはどう操作すれば換気風量を増減させられるのかを容易に把握でき、ユーザの操作により換気装置２の風量が増減されたことが直感的に理解できる。
【００９３】
なお、操作インタフェースとしては、上述したような換気矢印シンボル９４の画像に基づく操作に限らない。例えば、換気矢印シンボル９４とは別に換気装置２の操作用シンボルを表示して、この操作用シンボルをタップ又はクリックする操作であってもよい。この場合、この操作用シンボルの画像データを画像情報記憶部２１に記憶し、操作用シンボルを表示する位置や対応する換気装置２の装置ＩＤを建屋情報記憶部２２に記憶しておく。この場合の画面例を図１９、図２０を用いて説明する。
【００９４】
図１９（ａ）は図１４（ｃ）の画面をベースに、電源ＯＮ中の換気装置２の換気矢印の近傍に操作用シンボルを構成する操作領域７を配置した模式図の画面である。図１９（ｂ）は、操作領域７の拡大図であり、操作領域７中に風量ＵＰボタン７１、風量ＤＯＷＮボタン７２、換気方向反転ボタン７３、電源ＯＦＦボタン７４が存在する。
【００９５】
風量ＵＰボタン７１は、該ボタンの押下げ（タップ、またはクリック）により、換気装置２の風量を増加させるものである。風量ＤＯＷＮボタン７２は、該ボタンの押下げ（タップ、またはクリック）により、換気装置２の風量を減少させるものである。換気方向反転ボタン７３は、該ボタンの押下げ（タップ、またはクリック）により、換気装置２の換気方向を反転させるものである。電源ＯＦＦボタン７４は、該ボタンの押下げ（タップ、またはクリック）により、換気装置２の電源をＯＦＦにするものである。
【００９６】
なお、電源ＯＦＦ中は風量調整や換気方向反転を行うことができないため、操作領域７は表示しないことが望ましい。また、電源ＯＮ中であっても、例えば、換気方向を反転できない換気装置２における換気方向反転ボタン７３や、２４時間換気で電源ＯＦＦできない換気装置２における電源ＯＦＦボタン７４のように、使用できない機能のボタンは、ボタンそのものか、ボタンの背景色をグレーアウトして、該機能が無効であることが明確となるようにすることが好ましい。これは、例えば、操作できないボタンを予めグレーアウトした操作シンボルの画像データも画像情報記憶部２１に記憶しておき、換気装置２の種類に応じた操作シンボルの画像データを表示することによって実現できる。
【００９７】
また、制御装置１に接続された表示装置３の画面サイズが小さい場合や、間取り図や模式図の規模が大きい場合には、操作領域７が小さくなり、押下げを希望するボタンに隣接するボタンが誤って押されるおそれがある。そのような場合、誤操作対策として、操作領域７が押下げされた場合、操作領域７を拡大する処理を行い、操作領域７が拡大されたことによって誤操作の心配がなくなってから換気装置２の制御操作を検出するのが好ましい。そのための処理の一例としては、図７に示す制御処理のフローチャートにおいて、ステップＳ１０５とステップＳ１０６の間に「操作領域７の押下げ又はタッチがあったなら、操作領域７を拡大表示して、ステップＳ１０５に戻る」処理を加え、ステップＳ１０７の直後に「操作領域７の拡大表示を元に戻す」処理を加えればよい。
【００９８】
図２０は、操作用シンボルを構成する操作領域７の別の例である。図２０（ａ）は、換気方向固定の換気装置２の操作領域７の画面例である。図２０（ｂ）は、換気方向反転可能な換気装置２の操作領域７の画面例である。これらの例では、操作領域７に換気矢印シンボル９４と、操作のための操作シンボル７５を表示し、操作シンボル７５をドラッグ操作によりスライドさせることにより、換気方向や風量を制御するものである。
【００９９】
換気方向固定の換気装置２の場合、換気矢印シンボル９４の末尾に操作シンボル７５がある状態は、電源ＯＦＦを示す。ただし、電源ＯＦＦできない２４時間換気の換気装置２の場合は、換気矢印シンボル９４の末尾に操作シンボル７５がある状態は、風量弱を示す。換気方向反転可能な換気装置２の場合は、換気矢印シンボル９４の中央に操作シンボル７５がある状態は、電源ＯＦＦを示す。そして、換気矢印シンボル９４の先端に操作シンボル７５がある状態は、風量強を示す。ただし、風量調節ができない、電源ＯＮ又は電源ＯＦＦの２つの状態しかない換気装置２の場合は、換気矢印シンボル９４の先端に操作シンボル７５があると電源ＯＮを示す。
【０１００】
図２０の操作領域７は、誤操作防止の観点から、普段は表示されておらず、間取り図や模式図上に配置された換気矢印シンボル９４が押下げ又はタッチされた場合に描画されるのが好ましい。そのための処理の一例としては、図７に示す制御処理のフローチャートにおいて、ステップＳ１０５とステップＳ１０６の間に「矢印の押下げ又はタッチがあったなら、操作領域７を表示して、ステップＳ１０５に戻る」処理を加え、ステップＳ１０７の直後に「操作領域７の表示を消す」処理を加えればよい。
【０１０１】
以上により、普段はユーザの目につきにくい換気装置２の運転状態と設置場所と空気の流れとを同時に容易に把握することができ、また、直感的な操作で換気装置２を容易に制御することができる。
【０１０２】
なお、電源ＯＦＦ操作、換気方向反転、風量調整それぞれの操作方法の一例としてドラッグを挙げたが、同じ状態で同じ操作をした場合に異なる処理をさせることは不可能である。したがって、ある操作に複数の処理が割り当てられないようにする必要がある。これは、制御装置１にあらかじめ設定しておいてもよいし、ユーザが好みに応じて設定できるようにしてもよい。
【０１０３】
次に、図９に示す制御処理のステップＳ３０５における警告表示の例を図２１、図２２を用いて説明する。図２１は模式図の場合の例、図２２は間取り図の場合の例である。
【０１０４】
図２１（ａ）は、換気装置２の設置されていない書斎から部屋９２ａの寝室へのドラッグ操作である。この場合、書斎から部屋９２ａへの空気搬送を行うことができる換気装置２が存在しないため、図２１（ｂ）に示すように、無効操作であることを示すメッセージ「その操作には対応していません。」を含む警告表示ダイアログ６０を、画面上に表示する。
【０１０５】
図２２（ａ）は、換気装置２の設置されていない玄関から、廊下へのドラッグ操作である。この場合、玄関から廊下への空気搬送を行うことができる換気装置２が存在しないため、図２２（ｂ）に示すように、無効操作であることを示すメッセージ「その操作には対応していません。」を含む警告表示ダイアログ６０を、画面上に表示する。
【０１０６】
図２１（ｂ）、図２２（ｂ）いずれの場合においても、警告表示ダイアログ６０は、表示から一定時間経過後に消去してもよいし、あるいは、警告表示ダイアログ６０表示中に何らかの入力を検出することをトリガーとして消去してもよい。
【０１０７】
無効操作の通知方法は、上述の警告表示ダイアログ６０の表示に限るものではなく、その他無効操作であることの通知が直感的に理解できるシンボルやメッセージの表示であっても構わない。また、制御装置１にスピーカーが備えられている場合、警告表示ダイアログ６０に代わり、無効操作に伴いスピーカーからビープ音を鳴らしてもよく、また、警告表示ダイアログ６０の表示に合わせてビープ音を鳴らしてもよい。
【０１０８】
以上、無効な操作に伴う警告表示（通知）を行うことにより、ユーザはその操作によっては換気装置２の制御を行うことができないことが直感的に理解できる。なお、図９に示す制御処理のステップＳ３１０における警告表示も、メッセージ内容が異なる点以外は同様の警告表示ダイアログ６０を表示する。ステップＳ３１０においては、警告表示ダイアログ６０に表示するメッセージ内容は、例えば「その操作の運転状態への変更ができませんでした。」となる。
【０１０９】
なお、図１０から図１８までの説明では、主にマルチタッチに対応したタッチパネルに対してユーザが指で入力を行ったものとして表示例を示して説明したが、入力方法はこれに限らず、例えば、入力デバイスとしてマウスやタッチパッドを用いた操作によるものであってもよい。マウスの場合はクリックによるピンチアウト操作やピンチイン操作はできないが、例えばホイールを押してから上下に回転させる操作を風量の増減に対応させてもよい。
【０１１０】
また、建屋情報記憶部２２が備える換気装置２の情報は、「装置ＩＤ、シンボル画像ＩＤ、シンボル画像位置、方向、換気矢印画像ＩＤ、換気矢印画像位置、換気矢印回転角度、換気元、換気先、風量」の１０個の情報セットとして説明したが、換気装置２が備えるその他の機能の有無、例えば、「２４時間換気」や「熱交換」を追加した情報セットにしてもよい。この場合、それらの機能についても、運転状態の表示を行い、運転制御を行うための操作インタフェースを備えることが好ましい。
【０１１１】
電源ＯＮ／ＯＦＦの状態や、熱交換機能の状態も表示すると、空調機を運転している部屋で熱交換機能のない換気装置２を動作させていたり、熱交換機能があっても熱交換機能をＯＦＦにした状態で換気装置２を動作させていたりすることによって、非効率的な状態になっていることがわかるという効果も期待できる。また、間取り図や模式図に換気装置２の状態に加え、空調機の運転状態も同時に表示することにより、より直感的に状態が把握でき、非効率的な状態の解消につながる効果も期待できる。
【０１１２】
以上のように、ユーザが換気装置２の設置場所及び運転状態並びに空気の流れを容易に把握した上で換気装置２を制御できる操作インタフェースとすることにより、間取り図や模式図で示される建屋内の各換気装置２の運転状態や建屋内の空気の流れが直感的にわかる画面と操作用の画面とが別になっている操作インタフェースに比べて、換気装置２の制御に要する手数が少なくなるという効果もある。
【０１１３】
（実施の形態１の変形例）
以上、画面構築部１４が構築した模式図、間取り図上で直接操作することを想定した例を説明してきたが、実際のシステムには、換気装置２だけでなく、建屋内に存在する複数種類の機器を制御できるものがある。そして、誤操作を防止するために換気装置２を制御できるモードと制御できないモードの２つのモードを用意した方がよい場合がある。このような、誤操作防止のために、画面上に換気装置制御可否を切替えるモード切替えボタンを配置する実施の形態１の変形例を説明する。
【０１１４】
実施の形態１の変形例に係る制御装置１は、図２３に示すように、実施の形態１に係る制御装置１に、制御可否判定部１７と、制御可否記憶部２５を追加した構成になっている。制御可否判定部１７は、操作対象となった換気装置２や他の制御可能機器が、現在制御可能なモードであるか否かを判定する。制御可否記憶部２５は、図２４に示すように、換気装置２や他の制御可能機器が、機器の種類毎に、現在制御可能か否かを記憶する。図２４では、装置ＩＤが１〜５の換気装置２は現在制御可能であり、装置ＩＤが６１〜６３の照明や、装置ＩＤが７１及び７２のエアコンは、現在制御不可能であることを示している。
【０１１５】
また、制御可否を切り替えるためのモード切換シンボルの画像データが画像情報記憶部２１に記憶され、このモード切換シンボルを表示する位置やこのモード切換シンボルが制御可否を切り替えるシンボルであることを示す情報が建屋情報記憶部２２に記憶されている。実施の形態１の変形例に係る制御処理は、図９を参照して説明した実施の形態１に係る制御処理に、ステップＳ３１２〜ステップＳ３１４を追加した処理になるため、この追加した処理について図２５を参照して説明する。
【０１１６】
ステップＳ３１２では、制御部１０は、ステップＳ３０１で制御内容決定部１６が取得した操作がモード切換シンボルに対する操作か否かを判定する。モード切換シンボルに対する操作であるなら（ステップＳ３１２；Ｙｅｓ）、モード切換シンボル上で操作された機器の種類についての制御可否を切り替えて、制御可否記憶部２５に記憶し、モード切換シンボルの表示内容を現在の制御可否に合わせて変更し（ステップＳ３１３）、ステップＳ３１１に進む。
【０１１７】
制御内容決定部１６が取得した操作がモード切換シンボルに対する操作でないなら（ステップＳ３１２；Ｎｏ）、制御可否判定部１７は、ステップＳ３０１で制御内容決定部１６が取得した入力操作の対象機器が現在制御可能なモードになっているか否かを、制御可否記憶部２５を参照して判定する（ステップＳ３１４）。操作対象機器が現在制御可能なモードになっていなければ（ステップＳ３１４；Ｎｏ）、ステップＳ３１１に進む。操作対象機器が現在制御可能なモードになっていれば（ステップＳ３１４；Ｙｅｓ）、ステップＳ３０２に進む。
【０１１８】
上記で、ステップＳ３１１やステップＳ３０２に進んだ後は、図９を参照して説明した実施の形態１に係る制御処理と同じ処理内容となる。以上の制御処理により、現在制御可能なモードになっている機器のみが操作対象機器となる。
【０１１９】
この実施の形態１の変形例に係る制御処理によるモード切換操作について、画面例を用いて説明する。図２６は、画面右上に空気搬送モード切替えボタン８１を備えた模式図の例である。図２６（ａ）は非制御モードの画面例である。この図では画面の見やすさを考慮して換気矢印シンボル９４は表示していないが、換気矢印シンボル９４を表示しても構わない。この非制御モードの状態で、図２６（ｂ）に示すように、空気搬送モード切替えボタン８１をタップやクリックすることによって押下げると、図２５のステップＳ３１３の処理により、図２６（ｃ）に示す制御モードに遷移する。制御モードから非制御モードへ遷移するには、もう一度空気搬送モード切替えボタン８１を、タップやクリックすることによって押下げる。このとき、制御装置１は、非制御モードか制御モードかに応じて、空気搬送モード切替えボタン８１の表示内容を変化させることが好ましい。例えば図２６（ａ）は非制御モードであることを示すために、空気搬送モード切り替えボタン８１の背景色を灰色にしており、図２６（ｃ）は制御モードであることを示すために空気搬送モード切り替えボタン８１の背景色を白色にしている。
【０１２０】
図２７は、画面右側にモード選択領域８を備えた間取り図の例であり、モード選択領域８には、換気装置２の空気搬送モード切替えボタン８１の他、照明モード切替えボタン８２、エアコンモード切替えボタン８３及びモード選択解除ボタン８４を備える。図２７（ａ）は非制御モードの画面例で、この図では画面の見やすさを考慮して換気矢印シンボル９４は表示していない。この非制御モードの状態で、図２７（ｂ）に示すように、空気搬送モード切替えボタン８１をタップやクリックすることにより押下げると、図２５のステップＳ３１３の処理により、図２７（ｃ）に示す制御モードに遷移する。このとき、図２７では背景色を変化させているように、非制御モードか制御モードかに応じて、各モード切替えボタン８１，８２，８３及びモード選択解除ボタン８４の表示内容を変化させることが好ましい。なお、制御モードから非制御モードへの遷移に際しては、モード選択解除ボタン８４を用いるようにしてもよい。
【０１２１】
以上のように、実施の形態１の変形例によれば、換気装置２の制御可否の切り替えを可能にすることにより、機器や装置を制御する際、所望の機器や装置以外の対象の誤操作を防ぐことができる。
【０１２２】
また、建屋９に多数の機器が設置されている場合、機器の種類ごとの制御モードを設けて制御対象となっている種類の機器以外の情報を非表示にすることにより、多数の機器の情報が表示されて画面が見づらくなるのを防ぐことができる。
【０１２３】
（実施の形態２）
実施の形態１では、制御装置１は換気装置２から取得した運転状態の情報に基づいて画面を構築する例を説明したが、ユーザが換気装置２の運転状態を変更する判断を行うための情報は、換気装置２の運転状態の情報のみである。ユーザが換気装置２の運転状態を変化する判断を行う際には、換気装置２の運転状態だけでなく、部屋の温度、湿度、ガス濃度といった参考となる情報も表示されると、より良い判断が可能になると考えられる。そこで、各種センサからの情報を制御装置１が受信し、それを表示することによって、換気装置２の制御の判断をさらに容易にできるようにした実施の形態２について説明する。
【０１２４】
本発明の実施の形態２に係る制御システム２００は、図２８に示すように、制御装置１と、１台以上の換気装置２と、表示装置３と、１個以上のセンサ４と、を備える。ただし、制御装置１が液晶ディスプレイや有機ＥＬディスプレイといった表示デバイスを備える場合は、独立した表示装置３を備えなくてもよい。この場合は、制御装置１が表示装置３を含む。また、表示装置３は、スマートフォンやタブレットのような表示デバイスを備えた情報端末であってもよい。これらの点は、実施の形態１と同じである。
【０１２５】
制御装置１は、換気装置２から換気装置２の電源のＯＮ／ＯＦＦや風量といった運転状態の情報を取得し、また、センサ４からセンサ情報を取得し、取得したそれらの情報に基づき、各換気装置２の運転状態とセンサ情報を建屋内の設置場所と共に提示する画面を構築し、表示装置３に出力する。また、制御装置１が、換気装置２を制御する制御信号を換気装置２に送信することにより、換気装置２の運転状態を変更する点は、実施の形態１と同じである。
【０１２６】
換気装置２及び表示装置３は、実施の形態１と同じであるため説明は省略する。
【０１２７】
センサ４は、換気装置２が設置された建屋９に取り付けられ、周囲の環境から検出できるセンサ情報を取得して、制御装置１に送信する機能を備える。センサ４が取得するセンサ情報は、ユーザが換気装置２の制御の判断に用いることのできる情報であればなんでもよく、例えば、温度や湿度である。
【０１２８】
実施の形態２に係る制御装置１は、図２９に示すように、実施の形態１に係る制御装置１の制御部１０にセンサ情報取得部１８が追加され、記憶部２０に設置センサ情報記憶部２６が追加された構成になっている。
【０１２９】
センサ情報取得部１８は、通信部３１を介して、センサ４から、センサ４が検出したセンサ情報を取得する。このため、通信部３１は、換気装置２とだけでなく、センサ４とも通信可能な通信デバイスである。通信部３１は、換気装置２やセンサ４と通信可能な通信デバイスであれば、実施の形態１に係る制御装置１の通信部３１と同様に、任意の通信デバイスを使用可能である。なお、通信部３１は単一の通信デバイスである必要はなく、複数の通信デバイスで構成されていてもよい。例えば、換気装置２と通信可能な通信デバイスＡと、センサ４と通信可能な通信デバイスＢとの、２種類の通信デバイスで通信部３１を構成しても良い。
【０１３０】
設置センサ情報記憶部２６は、図３０に示すように、建屋９に設置されたセンサ４の「センサＩＤ」と、「センサ種類」と、「設置位置」と、「センサ情報」とを記憶する。「センサＩＤ」はセンサ４を一意に特定するためのＩＤであり、例えば、ＭＡＣアドレスを用いることができる。「センサ種類」は、センサ４が検出するセンサ情報の種類であり、例えば温度や湿度である。図３０の例ではすべて温度センサになっている。
【０１３１】
「設置位置」は、センサ４が建屋９のどこに設置されているかを示す情報である。したがって、設置センサ情報記憶部２６は、センサ４の設置位置を記憶するセンサ設置位置記憶部としても機能する。図３０では、わかりやすさのため、「設置位置」を、部屋の番号で記載したり、「屋根裏」や「床下」と記載したりしているが、建屋情報記憶部２２のシンボル画像位置と同様に、模式図又は間取り図において、このセンサ４が設置されている領域に対応する画面上の座標を記憶してもよい。特に、センサ情報を文字で表示させる場合は、数値表示させる画面上の座標を記憶しておくのが好ましい。「センサ情報」は、センサ４が検出したセンサ情報であり、画面構築の際に用いる。なお、接続を許可するセンサ４を例えば温度センサといった特定の種類のセンサに制限する場合、「センサ種類」の列はなくてもよい。
【０１３２】
次に、実施の形態２における処理について説明する。本実施の形態では、画面構築処理及び制御処理の処理フローは実施の形態１と同じであるため、説明は省略し、図７に示す画面構築処理のステップＳ１０４の画面構築・出力処理について説明する。実施の形態２に係る画面構築・出力処理においては、センサ４から取得するセンサ情報も用いて画面構築を行う。この画面構築方法としては、例えば、センサ４が設置された場所に対応する領域の背景色・パターンにセンサ情報を反映する方法や、センサ４が設置された場所に対応する領域にセンサ情報を文字で表示する方法がある。
【０１３３】
先に、センサ４が設置された場所の領域の背景色・パターンにセンサ情報を反映する方法について図３１を参照して説明する。
【０１３４】
まず、画面構築部１４は、建屋情報記憶部２２から取得したベースＩＤで示される画像ＩＤの模式図又は間取り図の画像データをベース画像として、画像情報記憶部２１から取得し、建屋情報記憶部２２から取得したベースサイズに伸縮する。そして、設置センサ情報記憶部２６に記憶されている各センサ４の設置位置に対応する領域の背景色・パターンを、当該センサ４のセンサ情報に基づいて変更する（ステップＳ４０１）。
【０１３５】
そして、画面構築部１４は、領域の背景色・パターンを変更したベース画像を、建屋情報記憶部２２から取得したベース位置に対応する画面記憶部２４のアドレスに書き込む（ステップＳ４０２）。次に、画面構築部１４は、建屋情報記憶部２２から取得した設備の画像ＩＤの画像データを画像情報記憶部２１から取得し、建屋情報記憶部２２から取得した画像位置に対応する画面記憶部２４のアドレスに書き込む（ステップＳ４０３）。
【０１３６】
次に、画面構築部１４は、実施の形態１の図８のステップＳ２０３及びステップＳ２０４と同じ処理により矢印の画像データを画面記憶部２４に書き込み（ステップＳ４０４）、処理を終了する。
【０１３７】
なお、ステップＳ４０１で変更する背景色・パターンは、例えば、図３２の各部屋の領域９１ａ，９１ｂ，９２ａ，９２ｂ，９２ｃ，９３ａ，９３ｂに示すように、温度が高い場合は色を濃くし、温度が低い場合は色を薄くすることができる。例えば、４２℃の時に濃度１００、−２０℃の時に濃度０として、その間を段階的に変化させるようにする。また、色の濃淡ではなく、パターンの密度で表現してもよい。また、高温の場合は暖色である赤系統の色、低温の場合は寒色である青系統の色として、色で示したり、色＋明度で示したりしてもよい。
【０１３８】
さらに、センサ４が検出する情報の種類が２種類以上存在する場合は、センサＡの情報は色、センサＢの情報は濃淡、センサＣの情報はパターンで表現するといった具合に、センサ４の検出する情報の種類ごとに用いる表現を変えてもよい。例えば、温度センサと湿度センサが設置されている場合、温度センサの情報は色の寒暖で、湿度は背景パターンの粗密で表現するといったことができる。
【０１３９】
以上の処理により、図３２に示すような画面が出力され、センサ４の情報が、表示画面上の各領域の色の濃淡によって判別できるようになる。
【０１４０】
続いて、センサ４が設置された場所に対応する領域にセンサ情報を文字で表示する方法について図３３を参照して説明する。
【０１４１】
まず、画面構築部１４は、建屋情報記憶部２２から取得したベースＩＤで示される画像ＩＤの模式図又は間取り図の画像データをベース画像として画像情報記憶部２１から取得し、建屋情報記憶部２２から取得したベースサイズに伸縮し、ベース位置に対応する画面記憶部２４のアドレスに書き込む（ステップＳ５０１）。
【０１４２】
次に、画面構築部１４は、建屋情報記憶部２２から取得した設備の画像ＩＤの画像データを画像情報記憶部２１から取得し、建屋情報記憶部２２から取得した画像位置に対応する画面記憶部２４のアドレスに書き込む（ステップＳ５０２）。
【０１４３】
次に、画面構築部１４は、実施の形態１の図８のステップＳ２０３及びステップＳ２０４と同じ処理により矢印の画像データを画面記憶部２４に書き込む（ステップＳ５０３）。
【０１４４】
最後に、画面構築部１４は、設置センサ情報記憶部２６に記憶されている各センサ４の設置位置に対応する領域に対応する画面記憶部２４のアドレスに、当該センサ４のセンサ情報を数値で表示した画像データを書き込み（ステップＳ５０４）、処理を終了する。以上の処理により、図３４に示すような画面が出力され、表示画面上の各領域におけるセンサ４のセンサ情報が、数値によって確認できるようになる。
【０１４５】
以上により、ユーザは直感的に温度と湿度を把握することができ、換気装置２を制御するか否かについての判断を行いやすくなる。例えば、屋外と室内に設置された温度センサの情報から、室内が屋外に比べて高温になっていることがわかる場合には、換気風量を増やしたり、熱交換機能をＯＦＦにしたりする制御を行うことにより、室内の熱を排出することができる。また、ＣＯ２センサ情報からＣＯ２濃度が高いことがわかる場合には、換気装置２の電源をＯＮにしたり、風量を増やしたりすることができる。なお、背景色・パターンによるセンサ情報の表示と、数値によるセンサ情報の表示とを組み合わせてもよい。例えば、あるセンサ情報は背景色・パターンで表示し、別のセンサ情報は数値で表示してもよい。
【０１４６】
さらに、換気装置２を制御した後に各領域のセンサ情報がどのように変化していくかを観測することにより、ユーザは換気装置２の運転に基づいて屋内環境がどのように変わっていくのかを経験として学習することができる。すると、それ以後は、その経験に基づいて換気装置２を制御することによって、ユーザにとってより快適な環境を作り出せるようになる効果も期待できる。
【０１４７】
なお、記憶部２０に、換気装置２の制御後のセンサ情報と換気装置２の運転状態との履歴を一定時間分、定期的に記憶するセンサ状態履歴記憶部（図示せず）を備えることもできる。そうすると、このセンサ状態履歴記憶部に記憶されているセンサ情報と運転状態との履歴に基づいて、センサ情報を含む間取り図又は模式図の画面を表示することができる。この画面を、履歴を遡ったり進めたりしながら眺めることにより、ユーザは、換気装置２の運転状態と屋内環境の変化との対応をより効率的に学習できるようになる効果が期待できる。
【０１４８】
なお、本発明は上述した各実施の形態に限定されず、本発明の要旨を逸脱しない範囲での種々の変更が可能である。例えば、換気装置２以外に、制御装置１から状態取得及び制御可能な機器を備え、その機器から取得した状態を、画面に表現させたり、その機器を制御したりすることも可能である。そして、上述した各実施の形態を、組み合わせることも可能である。例えば、実施の形態２を、実施の形態１の変形例と組み合わせることにより、センサ情報が表示された間取り図においても、各機器の制御可否のモード切換を機器の種類毎にまとめて行うことができる。また、制御可否記憶部２５において、機器の種類をより細分化して記憶することも可能である。例えば「１階の換気装置」、「２階の換気装置」、「父の部屋の機器」を「機器の種類」として設定し、それぞれに対応する「装置ＩＤ」として、「１階の換気装置の装置ＩＤ」、「２階の換気装置の装置ＩＤ」、「父の部屋の換気装置、照明及びエアコンの装置ＩＤ」を記憶させれば、機器の制御モードの切り替えをより便利に行うことができるようになる。
【０１４９】
本発明の実施の形態に係る制御装置１のハードウェアは、例えば図３５に示すように、プロセッサ１００１、メモリ１００２、インタフェース１００３で構成されている。制御装置１の各機能はプロセッサ１００１がメモリ１００２に記憶されたプログラムを実行することにより実現される。インタフェース１００３は制御装置１と、換気装置２、表示装置３、センサ４等の構成要素を接続し、通信を確立させるためのものであり、必要に応じて複数種のインタフェース１００３から構成されてもよい。また、図３５では、プロセッサ１００１及びメモリ１００２をそれぞれ１つで構成する例を示しているが、複数のプロセッサ１００１及び複数のメモリ１００２が連携して上記機能を実行してもよい。
【０１５０】
また、上述のいずれの実施の形態においても、各機能は、通常のコンピュータによっても実施することができる。具体的には、上述の実施の形態では、制御部１０が実行するプログラムが、記憶部２０のＲＯＭに予め記憶されているものとして説明した。しかし、プログラムを、フレキシブルディスク、ＣＤ−ＲＯＭ（Ｃｏｍｐａｃｔ Ｄｉｓｃ Ｒｅａｄ Ｏｎｌｙ Ｍｅｍｏｒｙ）、ＤＶＤ（Ｄｉｇｉｔａｌ Ｖｅｒｓａｔｉｌｅ Ｄｉｓｃ）及びＭＯ（Ｍａｇｎｅｔｏ−Ｏｐｔｉｃａｌ Ｄｉｓｃ）等のコンピュータ読み取り可能な記録媒体に格納して配布し、そのプログラムをコンピュータに読み込んでインストールすることにより、上述の各機能を実現することができるコンピュータを構成してもよい。そして、各機能をＯＳ（Ｏｐｅｒａｔｉｎｇ Ｓｙｓｔｅｍ）とアプリケーションとの分担、またはＯＳとアプリケーションとの協同により実現する場合等には、ＯＳ以外の部分のみを記録媒体に格納してもよい。
【０１５１】
なお、上述のいずれの実施の形態においても、記憶部２０に含まれる各部（画像情報記憶部２１、建屋情報記憶部２２、機器状態記憶部２３等）は、これらの一部乃至は全てを、制御装置１が備えず、通信ネットワークを介して接続された他の制御装置１、記憶装置、クラウドサーバ等から取得する構成であってもよい。
【０１５２】
さらに、搬送波に各プログラムを重畳し、通信ネットワークを介して配信することも可能である。例えば、通信ネットワーク上の掲示板（ＢＢＳ，Ｂｕｌｌｅｔｉｎ Ｂｏａｒｄ Ｓｙｓｔｅｍ）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【０１５３】
以上、本発明の好ましい実施の形態について説明したが、本発明は係る特定の実施の形態に限定されるものではなく、本発明には、特許請求の範囲に記載された発明とその均等の範囲が含まれる。
【符号の説明】
【０１５４】
１００，２００  制御システム、１  制御装置、２  換気装置、３  表示装置、４  センサ、７  操作領域、８  モード選択領域、９  建屋、１０  制御部、１１  機器状態取得部、１２  画像取得部、１３  位置取得部、１４  画面構築部、１５  機器制御部、１６  制御内容決定部、１７  制御可否判定部、１８  センサ情報取得部、２０  記憶部、２１  画像情報記憶部、２２  建屋情報記憶部、２３  機器状態記憶部、２４  画面記憶部、２５  制御可否記憶部、２６  設置センサ情報記憶部、３１  通信部、３２  出力部、３３  入力部、５０ａ、５０ｂ  指、６０  警告表示ダイアログ、７１  風量ＵＰボタン、７２  風量ＤＯＷＮボタン、７３  換気方向反転ボタン、７４  電源ＯＦＦボタン、７５  操作シンボル、８１  空気搬送モード切換えボタン、８２  照明モード切換えボタン、８３  エアコンモード切換えボタン、８４  モード選択解除ボタン、９１（９１ａ、９１ｂ）  １階の部屋、９２（９２ａ、９２ｂ、９２ｃ）  ２階の部屋、９３（９３ａ、９３ｂ、９３ｃ）  階層外領域、９４（９４ａ、９４ｂ、９４ｃ、９４ｄ）  換気矢印シンボル、９５  全館領域、１００１  プロセッサ、１００２  メモリ、１００３  インタフェース。
【図１】
2018009739.tif 000003
【図２】
2018009739.tif 000004
【図３】
2018009739.tif 000005
【図４】
2018009739.tif 000006
【図５】
2018009739.tif 000007
【図６】
2018009739.tif 000008
【図７】
2018009739.tif 000009
【図８】
2018009739.tif 000010
【図９】
2018009739.tif 000011
【図１０】
2018009739.tif 000012
【図１１】
2018009739.tif 000013
【図１２】
2018009739.tif 000014
【図１３】
2018009739.tif 000015
【図１４】
2018009739.tif 000016
【図１５】
2018009739.tif 000017
【図１６】
2018009739.tif 000018
【図１７】
2018009739.tif 000019
【図１８】
2018009739.tif 000020
【図１９】
2018009739.tif 000021
【図２０】
2018009739.tif 000022
【図２１】
2018009739.tif 000023
【図２２】
2018009739.tif 000024
【図２３】
2018009739.tif 000025
【図２４】
2018009739.tif 000026
【図２５】
2018009739.tif 000027
【図２６】
2018009739.tif 000028
【図２７】
2018009739.tif 000029
【図２８】
2018009739.tif 000030
【図２９】
2018009739.tif 000031
【図３０】
2018009739.tif 000032
【図３１】
2018009739.tif 000033
【図３２】
2018009739.tif 000034
【図３３】
2018009739.tif 000035
【図３４】
2018009739.tif 000036
【図３５】
2018009739.tif 000037